(57)【要約】【課題】所定の設定画面に従って視聴設定を行わなくても、自動的に、ユーザ所望の視聴設定に基づいて調整した番組情報を出力することができるテレビジョン放送受信機を提供する。【解決手段】一定時間の間、所定の視聴設定に基づいて調整された番組情報が出力部２０に出力された際、当該視聴設定に対するポイントを記憶するポイントデータファイル１８１と、当該記憶されるポイント数に基づいて、所定の第１の条件を満たす視聴設定を抽出する抽出プログラム１９３２を実行したＣＰＵ１９１と、当該抽出された視聴設定のポイント数に基づいて、所定の第２の条件を満たすか否かを判断する判断プログラム１９３３を実行したＣＰＵ１９１と、当該判断された視聴設定が一つであった場合に、当該視聴設定に基づいて調整した番組情報を、出力部２０に出力する出力制御プログラム１９３４を実行したＣＰＵ１９１と、を備えるよう構成した。【選択図】図１
2007116359.tif 000002
【特許請求の範囲】
【請求項１】
順次供給されるテレビジョン放送波から番組情報を受信する受信手段と、当該受信手段により受信された番組情報を出力手段に出力させる出力制御手段と、を備えるテレビジョン放送受信機において、
前記出力制御手段により前記出力手段に出力される番組情報から、当該番組のジャンルを判別する判別手段と、
一定時間の間、所定の視聴設定に基づいて調整された番組情報が前記出力制御手段により前記出力手段に出力された際、前記判別手段により当該番組情報から判別されたジャンルに対応付けて、当該視聴設定に対するポイントを記憶する記憶手段と、
前記判別手段により判別されたジャンルに対応する視聴設定の中から、前記記憶手段に記憶されるポイント数が最も多い視聴設定を抽出する抽出手段と、
前記抽出手段により抽出された視聴設定の前記記憶手段に記憶されるポイント数が、所定の閾値を超え、且つ、前記記憶手段に記憶されるポイント数が二番目に多い視聴設定のポイント数よりも所定ポイント数以上多いという条件を満たすか否かを判断する判断手段と、
を備え、
前記出力制御手段は、前記判断手段により前記条件を満たすと判断された視聴設定が一つであった場合に、当該視聴設定に基づいて調整した番組情報を、前記出力手段に出力することを特徴とするテレビジョン放送受信機。
【請求項２】
順次供給されるテレビジョン放送波から番組情報を受信する受信手段と、当該受信手段により受信された番組情報を出力手段に出力させる出力制御手段と、を備えるテレビジョン放送受信機において、
一定時間の間、所定の視聴設定に基づいて調整された番組情報が前記出力制御手段により前記出力手段に出力された際、当該視聴設定に対するポイントを記憶する記憶手段と、
前記記憶手段に記憶されるポイント数に基づいて、所定の第１の条件を満たす視聴設定を抽出する抽出手段と、
前記抽出手段により抽出された視聴設定の前記記憶手段に記憶されるポイント数に基づいて、所定の第２の条件を満たすか否かを判断する判断手段と、
を備え、
前記出力制御手段は、前記判断手段により前記所定の第２の条件を満たすと判断された視聴設定が一つであった場合に、当該視聴設定に基づいて調整した番組情報を、前記出力手段に出力することを特徴とするテレビジョン放送受信機。
【請求項３】
請求項２に記載のテレビジョン放送受信機において、
前記出力制御手段により前記出力手段に出力される番組情報から、当該番組のジャンルを判別する判別手段を備え、
前記記憶手段は、前記ジャンル毎に視聴設定に対するポイントを記憶し、
前記抽出手段は、前記判別手段により判別されたジャンルに対応する視聴設定の中から、前記記憶手段に記憶されるポイント数に基づいて、前記所定の第１の条件を満たす視聴設定を抽出することを特徴とするテレビジョン放送受信機。
【請求項４】
請求項２又は３に記載のテレビジョン放送受信機において、
前記所定の第２の条件は、前記抽出手段により抽出された視聴設定の前記記憶手段に記憶されるポイント数が、所定の閾値を超えるという条件を含むことを特徴とするテレビジョン放送受信機。
【請求項５】
請求項２〜４の何れか一項に記載のテレビジョン放送受信機において、
前記所定の第１の条件は、前記記憶手段に記憶されるポイント数が、最も多いという条件を含むことを特徴とするテレビジョン放送受信機。
【請求項６】
請求項５に記載のテレビジョン放送受信機において、
前記所定の第２の条件は、前記抽出手段により抽出された視聴設定の前記記憶手段に記憶されるポイント数が、前記記憶手段に記憶されるポイント数が二番目に多い視聴設定のポイント数よりも所定ポイント数以上多いという条件を含むことを特徴とするテレビジョン放送受信機。
【請求項７】
請求項２〜６の何れか一項に記載のテレビジョン放送受信機において、
前記判断手段により前記所定の第２の条件を満たすと判断された視聴設定が一つであり、前記出力制御手段により前記所定の第２の条件を満たすと判断された視聴設定に基づいて調整した番組情報が前記出力手段に出力される際に、当該番組情報の自動調整を行う旨を報知する報知手段を備えることを特徴とするテレビジョン放送受信機。
【発明の詳細な説明】
【技術分野】
【０００１】
本発明は、テレビジョン放送受信機に関する。
【背景技術】
【０００２】
従来、音量、映像の明るさ、字幕を表示するか否か、音声をモノラルにするかステレオにするか、などの視聴設定を行うことができるテレビジョン放送受信機が知られている。
【０００３】
ところで、近年、デジタル放送用のテレビジョン放送受信機が普及している。
デジタル放送では、番組情報（映像情報や音声情報）と共に、当該番組のジャンル（例えば、スポーツ（野球など）、ドラマ（時代劇など）、映画など）に関するジャンル情報も供給されている。しかしながら、従来のテレビジョン放送受信機においては、番組のジャンルに関わらず、同一の視聴設定に基づいて調整した番組情報を出力するようになっているため、ユーザは、例えば、ジャンル毎に視聴設定を切り替えたい場合には、視聴する番組のジャンルが変わる度に、手動で視聴設定を行わなければならないという問題があった。
【０００４】
そこで、例えば、予め、ジャンル毎にユーザ所望の視聴設定を記憶しておき、出力する番組情報と共に供給されたジャンル情報に基づいて、当該記憶しておいた視聴設定の中から一つの視聴設定を取得し、当該取得した一つの視聴設定に基づいて調整した番組情報を出力することができるテレビジョン放送受信機（例えば、特許文献１〜４参照）が提案された。
【特許文献１】特開２００１−２５７９６４号公報
【特許文献２】特開２００２−３７４４７４号公報
【特許文献３】特開２００２−１１８７６９号公報
【特許文献４】特開平１０−３２２６２２号公報
【発明の開示】
【発明が解決しようとする課題】
【０００５】
しかしながら、特許文献１〜４に記載のテレビジョン放送受信機においては、ユーザは、テレビジョン放送受信機にユーザ所望の視聴設定を記憶させる際、所定の設定画面に従って視聴設定を行わなければならず、煩わしいという問題がある。
【０００６】
本発明の課題は、所定の設定画面に従って視聴設定を行わなくても、自動的に、ユーザ所望の視聴設定に基づいて調整した番組情報を出力することができるテレビジョン放送受信機を提供することにある。
【課題を解決するための手段】
【０００７】
上記課題を解決するために、請求項１に記載の発明は、順次供給されるテレビジョン放送波から番組情報を受信する受信手段と、当該受信手段により受信された番組情報を出力手段に出力させる出力制御手段と、を備えるテレビジョン放送受信機において、前記出力制御手段により前記出力手段に出力される番組情報から、当該番組のジャンルを判別する判別手段と、一定時間の間、所定の視聴設定に基づいて調整された番組情報が前記出力制御手段により前記出力手段に出力された際、前記判別手段により当該番組情報から判別されたジャンルに対応付けて、当該視聴設定に対するポイントを記憶する記憶手段と、前記判別手段により判別されたジャンルに対応する視聴設定の中から、前記記憶手段に記憶されるポイント数が最も多い視聴設定を抽出する抽出手段と、前記抽出手段により抽出された視聴設定の前記記憶手段に記憶されるポイント数が、所定の閾値を超え、且つ、前記記憶手段に記憶されるポイント数が二番目に多い視聴設定のポイント数よりも所定ポイント数以上多いという条件を満たすか否かを判断する判断手段と、を備え、前記出力制御手段は、前記判断手段により前記条件を満たすと判断された視聴設定が一つであった場合に、当該視聴設定に基づいて調整した番組情報を、前記出力手段に出力することを特徴とする。
【０００８】
請求項２に記載の発明は、順次供給されるテレビジョン放送波から番組情報を受信する受信手段と、当該受信手段により受信された番組情報を出力手段に出力させる出力制御手段と、を備えるテレビジョン放送受信機において、一定時間の間、所定の視聴設定に基づいて調整された番組情報が前記出力制御手段により前記出力手段に出力された際、当該視聴設定に対するポイントを記憶する記憶手段と、前記記憶手段に記憶されるポイント数に基づいて、所定の第１の条件を満たす視聴設定を抽出する抽出手段と、前記抽出手段により抽出された視聴設定の前記記憶手段に記憶されるポイント数に基づいて、所定の第２の条件を満たすか否かを判断する判断手段と、を備え、前記出力制御手段は、前記判断手段により前記所定の第２の条件を満たすと判断された視聴設定が一つであった場合に、当該視聴設定に基づいて調整した番組情報を、前記出力手段に出力することを特徴とする。
【０００９】
請求項３に記載の発明は、請求項２に記載のテレビジョン放送受信機において、前記出力制御手段により前記出力手段に出力される番組情報から、当該番組のジャンルを判別する判別手段を備え、前記記憶手段は、前記ジャンル毎に視聴設定に対するポイントを記憶し、前記抽出手段は、前記判別手段により判別されたジャンルに対応する視聴設定の中から、前記記憶手段に記憶されるポイント数に基づいて、前記所定の第１の条件を満たす視聴設定を抽出することを特徴とする。
【００１０】
請求項４に記載の発明は、請求項２又は３に記載のテレビジョン放送受信機において、
前記所定の第２の条件は、前記抽出手段により抽出された視聴設定の前記記憶手段に記憶されるポイント数が、所定の閾値を超えるという条件を含むことを特徴とする。
【００１１】
請求項５に記載の発明は、請求項２〜４の何れか一項に記載のテレビジョン放送受信機において、前記所定の第１の条件は、前記記憶手段に記憶されるポイント数が、最も多いという条件を含むことを特徴とする。
【００１２】
請求項６に記載の発明は、請求項５に記載のテレビジョン放送受信機において、前記所定の第２の条件は、前記抽出手段により抽出された視聴設定の前記記憶手段に記憶されるポイント数が、前記記憶手段に記憶されるポイント数が二番目に多い視聴設定のポイント数よりも所定ポイント数以上多いという条件を含むことを特徴とする。
【００１３】
請求項７に記載の発明は、請求項２〜６の何れか一項に記載のテレビジョン放送受信機において、前記判断手段により前記所定の第２の条件を満たすと判断された視聴設定が一つであり、前記出力制御手段により前記所定の第２の条件を満たすと判断された視聴設定に基づいて調整した番組情報が前記出力手段に出力される際に、当該番組情報の自動調整を行う旨を報知する報知手段を備えることを特徴とする。
【発明の効果】
【００１４】
請求項１に記載の発明によれば、判別手段によって、出力制御手段により出力手段に出力される番組情報から、当該番組のジャンルを判別することができ、記憶手段によって、一定時間の間、所定の視聴設定に基づいて調整された番組情報が出力制御手段により出力手段に出力された際、判別手段により当該番組情報から判別されたジャンルに対応付けて、当該視聴設定に対するポイントを記憶することができ、抽出手段によって、判別手段により判別されたジャンルに対応する視聴設定の中から、記憶手段に記憶されるポイント数が最も多い視聴設定を抽出することができ、判断手段によって、抽出手段により抽出された視聴設定の記憶手段に記憶されるポイント数が、所定の閾値を超え、且つ、記憶手段に記憶されるポイント数が二番目に多い視聴設定のポイント数よりも所定ポイント数以上多いという条件を満たすか否かを判断することができ、出力制御手段によって、判断手段により前記条件を満たすと判断された視聴設定が一つであった場合に、当該視聴設定に基づいて調整した番組情報を、出力手段に出力することができる。
すなわち、視聴設定に対するポイントを累積することによって、ユーザが好む視聴設定を見出すことができ、そして、自動的に、番組情報を、当該見出したユーザが好む視聴設定に基づいて調整することができるため、従来のように所定の設定画面に従って視聴設定を行わなくても、自動的に、ユーザ所望の視聴設定に基づいて調整した番組情報を出力することができる。
さらに、ジャンル毎に視聴設定に対するポイントを累積することによって、ジャンル毎に、ユーザが好む視聴設定を見出すことができ、そして、自動的に、番組情報を、当該番組のジャンルに応じて、当該見出したユーザが好む視聴設定に基づいて調整することができるため、ジャンル毎に視聴設定を切り替えたいユーザにとっては、好都合である。
また、最もユーザに好まれている視聴設定が、ユーザが好んでいると判断してよいほどのポイント数を累積した視聴設定であり、且つ、圧倒的にユーザに好まれている視聴設定である場合に、当該視聴設定に基づいて自動的に番組情報を調整するため、より好適にユーザ好みの視聴設定に自動的に設定できる。
【００１５】
請求項２に記載の発明によれば、記憶手段によって、一定時間の間、所定の視聴設定に基づいて調整された番組情報が出力制御手段により出力手段に出力された際、当該視聴設定に対するポイントを記憶することができ、抽出手段によって、記憶手段に記憶されるポイント数に基づいて、所定の第１の条件を満たす視聴設定を抽出することができ、判断手段によって、抽出手段により抽出された視聴設定の記憶手段に記憶されるポイント数に基づいて、所定の第２の条件を満たすか否かを判断することができ、出力制御手段によって、判断手段により所定の第２の条件を満たすと判断された視聴設定が一つであった場合に、当該視聴設定に基づいて調整した番組情報を、出力手段に出力することができる。すなわち、視聴設定に対するポイントを累積することによって、ユーザが好む視聴設定を見出すことができ、そして、自動的に、番組情報を、当該見出したユーザが好む視聴設定に基づいて調整することができるため、従来のように所定の設定画面に従って視聴設定を行わなくても、自動的に、ユーザ所望の視聴設定に基づいて調整した番組情報を出力することができる。
【００１６】
請求項３に記載の発明によれば、請求項２に記載の発明と同様の効果が得られることは無論のこと、判別手段によって、出力制御手段により出力手段に出力される番組情報から、当該番組のジャンルを判別することができ、記憶手段によって、ジャンル毎に視聴設定に対するポイントを記憶することができ、抽出手段によって、判別手段により判別されたジャンルに対応する視聴設定の中から、記憶手段に記憶されるポイント数に基づいて、所定の第１の条件を満たす視聴設定を抽出することができる。すなわち、ジャンル毎に視聴設定に対するポイントを累積することによって、ジャンル毎に、ユーザが好む視聴設定を見出すことができ、そして、自動的に、番組情報を、当該番組のジャンルに応じて、当該見出したユーザが好む視聴設定に基づいて調整することができるため、ジャンル毎に視聴設定を切り替えたいユーザにとっては、好都合である。
【００１７】
請求項４に記載の発明によれば、請求項２又は３に記載の発明と同様の効果が得られることは無論のこと、所定の第２の条件は、抽出手段により抽出された視聴設定の記憶手段に記憶されるポイント数が、所定の閾値を超えるという条件を含むため、すなわち、ユーザが好んでいると判断してよいほどのポイント数が累積された視聴設定がある場合に、当該視聴設定に基づいて自動的に番組情報を調整するため、好適にユーザ好みの視聴設定を自動的に行うことができる。
【００１８】
請求項５に記載の発明によれば、請求項２〜４の何れか一項に記載の発明と同様の効果が得られることは無論のこと、所定の第１の条件は、記憶手段に記憶されるポイント数が、最も多いという条件を含むため、すなわち、最もユーザに好まれている視聴設定に基づいて自動的に番組情報を調整するため、より好適にユーザ好みの視聴設定を自動的に行うことができる。
【００１９】
請求項６に記載の発明によれば、請求項５に記載の発明と同様の効果が得られることは無論のこと、所定の第２の条件は、抽出手段により抽出された視聴設定の記憶手段に記憶されるポイント数が、記憶手段に記憶されるポイント数が二番目に多い視聴設定のポイント数よりも所定ポイント数以上多いという条件を含むため、すなわち、最もユーザに好まれている視聴設定が、圧倒的にユーザに好まれている視聴設定である場合に、当該視聴設定に基づいて自動的に番組情報を調整するため、より好適にユーザ好みの視聴設定を自動的に行うことができる。
【００２０】
請求項７に記載の発明によれば、請求項２〜６の何れか一項に記載の発明と同様の効果が得られることは無論のこと、報知手段によって、判断手段により所定の第２の条件を満たすと判断された視聴設定が一つであり、出力制御手段により、判断手段によって所定の第２の条件を満たすと判断された視聴設定に基づいて調整した番組情報が出力手段に出力される際に、当該番組情報の自動調整を行う旨を報知することができるため、ユーザは、番組情報の自動調整が行われる旨を知ることができることとなって、使い勝手がよい。
【発明を実施するための最良の形態】
【００２１】
以下、図を参照して、本発明にかかるテレビジョン放送受信機の最良の形態を詳細に説明する。なお、発明の範囲は、図示例に限定されない。
【００２２】
＜テレビジョン放送受信機の構成＞
まず、テレビジョン放送受信機１の構成について、図１を参照して説明する。
テレビジョン放送受信機１は、例えば、図１に示すように、チューナ１０と、復調器１１と、デマルチプレクサ１２と、デコーダ１３と、映像処理部１４と、音声処理部１５と、リモコン受信部１６と、計時部１７と、不揮発性メモリ１８と、制御部１９と、などを備えて構成される。各部は、バスＢによって接続されている。
また、テレビジョン放送受信機１は、映像処理部１４に接続される映像表示部２０１と、音声処理部１５に接続される音声出力部２０２と、などを有する出力手段としての出力部２０を備えている。
また、テレビジョン放送受信機１は、リモコン受信部１６と通信可能なテレビジョン放送受信機１用のリモートコントローラ１６１（以下、「リモコン１６１」という）を備えている。
【００２３】
チューナ１０は、アンテナ１０１を有しており、アンテナ１０１及びチューナ１０は、例えば、受信手段として、順次供給されるテレビジョン放送波から番組情報を受信して、復調器１１に出力する。
具体的には、チューナ１０は、制御部１９からの指示に従って、例えば、アンテナ１０１により受信されるデジタル方式のテレビジョン放送波の中から、ユーザ所望の放送番組のチャンネルに対応する周波数帯域に存在する番組情報を受信して、当該受信した番組情報を中間周波信号に変換して、復調器１１に出力する。
【００２４】
復調器１１は、制御部１９からの指示に従って、例えば、チューナ１０から出力された番組情報に対してデジタル復調や誤り訂正などの処理を施して、デマルチプレクサ１２に出力する。
【００２５】
デマルチプレクサ１２は、制御部１９からの指示に従って、例えば、復調器１１から出力された番組情報から、映像データと、音声データと、ジャンル情報と、などを分離抽出する。そして、デマルチプレクサ１２は、当該分離抽出した映像データ及び音声データをデコーダ１３に出力し、当該分離抽出したジャンル情報を制御部１９に出力する。
ここで、ジャンル情報とは、番組のジャンル（例えば、スポーツ（野球など）、ドラマ（時代劇など）、映画など）に関する情報である。
【００２６】
デコーダ１３は、制御部１９からの指示に従って、例えば、デマルチプレクサ１２から出力された映像データ及び音声データをデコードする。そして、デコーダ１３は、当該デコードした映像データを映像処理部１４に出力し、当該デコードした音声データを音声処理部１５に出力する。
【００２７】
映像処理部１４は、制御部１９からの指示に従って、例えば、デコーダ１３から出力された映像データに対して所与の映像処理を施して、出力部２０が有する映像表示部２０１に出力する。
具体的には、映像処理部１４は、出力制御プログラム１９３４を実行したＣＰＵ１９１（後述）からの指示に従って、デコーダ１３から出力された映像データに対して、所定の視聴設定に基づいた所定の映像処理を施す。
より具体的には、映像処理部１４は、例えば、字幕を表示するか否か、データ放送を表示するか否か、映像の表示サイズ、映像の明るさ、映像の画質などの視聴設定に基づいて、映像データに対して所定の映像処理を施す。
【００２８】
映像表示部２０１は、例えば、図示しない液晶方式などの表示画面を備え、映像処理部１４から出力された映像データに基づいて映像の出力を行う。
【００２９】
音声処理部１５は、制御部１９からの指示に従って、例えば、デコーダ１３から出力された音声データに対して所与の音声処理を施して、出力部２０が有する音声出力部２０２に出力する。
具体的には、音声処理部１５は、出力制御プログラム１９３４を実行したＣＰＵ１９１（後述）からの指示に従って、デコーダ１３から出力された音声データに対して、所定の視聴設定に基づいた所定の音声処理を施す。
より具体的には、音声処理部１５は、例えば、音声をモノラルにするかステレオにするか、言語、音質、音量などの視聴設定に基づいて、音声データに対して所定の音声処理を施す。
【００３０】
音声出力部２０２は、例えば、図示しないスピーカなどを備え、音声処理部１５から出力された音声データに基づいて音声の出力を行う。
【００３１】
リモコン受信部１６は、例えば、リモコン１６１から送信された各種信号を受信して、当該各種信号に基づく情報を制御部１９に出力する。
リモコン１６１は、例えば、ユーザが番組情報の視聴設定を選択する際などに使用される。
【００３２】
計時部１７は、制御部１９から入力される制御信号に従って、所与の計時処理を行う。
【００３３】
不揮発性メモリ１８は、少なくともデータ書き換えが可能なフラッシュメモリなどから構成される。
具体的には、不揮発性メモリ１８は、例えば、図１に示すように、ポイントデータファイル１８１などを有する。
【００３４】
ポイントデータファイル１８１は、例えば、記憶手段として、一定時間（例えば、１５分）の間、所定の視聴設定に基づいて調整された番組情報が出力制御プログラム１９３４を実行したＣＰＵ１９１（後述）により出力部２０に出力された際、判別プログラム１９３１を実行したＣＰＵ１９１（後述）により当該番組情報から判別されたジャンルに対応付けて、当該視聴設定に対するポイントを記憶する。
具体的には、ポイントデータファイル１８１は、例えば、図２に示すように、「ジャンル」記憶領域１８１ａと、「設定項目」記憶領域１８１ｂと、「ポイント」記憶領域１８１ｃと、などを有している。
【００３５】
「ジャンル」記憶領域１８１ａは、例えば、番組のジャンルを記憶する。
【００３６】
「設定項目」記憶領域１８１ｂは、例えば、視聴設定の項目を記憶する。
【００３７】
「ポイント」記憶領域１８１ｃは、例えば、番組情報の視聴設定に対するポイントを記憶する。
具体的には、図２によれば、「ジャンル」が「野球」、「設定項目」が「字幕」の場合、視聴設定「ＯＦＦ」のポイント数は「５ポイント」、視聴設定「第１言語」のポイント数は「３ポイント」、視聴設定「第２言語」のポイント数は「２ポイント」であり、「ジャンル」が「時代劇」、「設定項目」が「字幕」の場合、視聴設定「ＯＦＦ」のポイント数は「１ポイント」、視聴設定「第１言語」のポイント数は「３ポイント」、視聴設定「第２言語」のポイント数は「１ポイント」である。
ここで、「ポイント」記憶領域１８１ｃに記憶可能なポイントには上限がある。例えば、図２に示すポイントデータファイル１８１の「ポイント」記憶領域１８１ｃにおいては、「１０」のポイントを記憶することができるようになっている。そして、「ポイント」記憶領域１８１ｃは、それに記憶されるポイントが上限に達している場合には、最新の視聴設定に対するポイントを記憶する際、最古の視聴設定に対するポイントを破棄してから、当該最新の視聴設定に対するポイントを記憶するようになっている。
【００３８】
制御部１９は、例えば、図１に示すように、ＣＰＵ（Central Processing Unit）１９１、ＲＡＭ（Random Access Memory）１９２、記憶部１９３などを備えている。
【００３９】
ＣＰＵ１９１は、記憶部１９３に記憶されるテレビジョン放送受信機１用の各種処理プログラムに従って各種の制御動作を行う。
【００４０】
ＲＡＭ１９２は、ＣＰＵ１９１によって実行される処理プログラムなどを展開するためのプログラム格納領域や、入力データや上記処理プログラムが実行される際に生じる処理結果などを格納するデータ格納領域などを備える。
【００４１】
記憶部１９３は、テレビジョン放送受信機１で実行可能なシステムプログラム、当該システムプログラムで実行可能な各種処理プログラム、これら各種処理プログラムを実行する際に使用されるデータ、ＣＰＵ１９１によって演算処理された処理結果のデータなどを記憶する。なお、プログラムは、コンピュータが読み取り可能なプログラムコードの形で記憶部１９３に記憶されている。
具体的には、記憶部１９３には、例えば、図１に示すように、判別プログラム１９３１と、抽出プログラム１９３２と、判断プログラム１９３３と、出力制御プログラム１９３４と、報知プログラム１９３５と、などが記憶されている。
【００４２】
判別プログラム１９３１は、例えば、出力制御プログラム１９３４を実行したＣＰＵ１９１（後述）により出力部２０に出力される番組情報から、当該番組のジャンルを判別する機能を、ＣＰＵ１９１に実現させる。
具体的には、ＣＰＵ１９１は、例えば、デマルチプレクサ１２から出力されたジャンル情報から、番組のジャンルを判別する。
ＣＰＵ１９１は、かかる判別プログラム１９３１を実行することによって、判別手段として機能する。
【００４３】
抽出プログラム１９３２は、例えば、判別プログラム１９３１を実行したＣＰＵ１９１により判別されたジャンルに対応する視聴設定の中から、ポイントデータファイル１８１に記憶されるポイント数に基づいて、所定の第１の条件を満たす視聴設定を抽出する機能を、ＣＰＵ１９１に実現させる。
具体的には、所定の第１の条件は、例えば、ポイントデータファイル１８１に記憶されるポイント数が、最も多いという条件である。
ＣＰＵ１９１は、かかる抽出プログラム１９３２を実行することによって、抽出手段として機能する。
【００４４】
判断プログラム１９３３は、抽出プログラム１９３２を実行したＣＰＵ１９１により抽出された視聴設定のポイントデータファイル１８１に記憶されるポイント数に基づいて、所定の第２の条件を満たすか否かを判断する機能を、ＣＰＵ１９１に実現させる。
具体的には、所定の第２の条件は、例えば、抽出プログラム１９３２を実行したＣＰＵ１９１により抽出された視聴設定（ポイント数が最も多い視聴設定）のポイントデータファイル１８１に記憶されるポイント数が、所定の閾値を超え、且つ、ポイントデータファイル１８１に記憶されるポイント数が二番目に多い視聴設定のポイント数よりも所定ポイント数以上多いという条件である。
ＣＰＵ１９１は、かかる判断プログラム１９３３を実行することによって、判断手段として機能する。
【００４５】
出力制御プログラム１９３４は、例えば、アンテナ１０１及びチューナ１０により受信された番組情報を出力部２０に出力させる機能を、ＣＰＵ１９１に実現させる。
また、出力制御プログラム１９３４は、判断プログラム１９３３を実行したＣＰＵ１９１により所定の第２の条件を満たすと判断された視聴設定が一つであった場合に、当該視聴設定に基づいて映像処理部１４及び／又は音声処理部１５において番組情報を調整し、当該調整した番組情報を出力部２０に出力する機能を、ＣＰＵ１９１に実現させる。
ＣＰＵ１９１は、かかる出力制御プログラム１９３４を実行することによって、出力制御手段として機能する。
【００４６】
報知プログラム１９３５は、例えば、判断プログラム１９３３を実行したＣＰＵ１９１により所定の第２の条件を満たすと判断された視聴設定が一つであり、出力制御プログラム１９３４を実行したＣＰＵ１９１により当該所定の第２の条件を満たすと判断された視聴設定に基づいて調整した番組情報が出力部２０に出力される際に、当該番組情報の自動調整を行う旨を、例えば、出力部２０を介して報知する機能を、ＣＰＵ１９１に実現させる。
ＣＰＵ１９１は、かかる報知プログラム１９３５を実行することによって、報知手段として機能する。
【００４７】
＜テレビジョン放送受信機における視聴設定処理＞
次に、テレビジョン放送受信機１における視聴設定に関する処理について、図３及び図４のフローチャートを参照して説明する。
ここで、第１の視聴設定に基づいて調整された第１の番組情報が、出力制御プログラム１９３４を実行したＣＰＵ１９１により出力部２０に出力されていることを前提として説明する。
【００４８】
まず、ＣＰＵ１９１は、ユーザによるリモコン１６１の操作などによって、ユーザ所望の放送番組のチャンネルが選局されたか否かを判断する（ステップＳ１１）。
【００４９】
ステップＳ１１で、ユーザ所望の放送番組のチャンネルが選局されていないと判断すると（ステップＳ１１；Ｎｏ）、ＣＰＵ１９１は、ステップＳ１６（後述）又はステップＳ３５（後述）で開始させた計時部１７による計時時間が、一定時間（例えば、１５分）を超えたか否かを判断する（ステップＳ１２）。
【００５０】
ステップＳ１２で、計時時間が一定時間を超えていないと判断すると（ステップＳ１２；Ｎｏ）、ＣＰＵ１９１は、ユーザによるリモコン１６１の操作などによって、新たな視聴設定（すなわち、第１の視聴設定以外の視聴設定）が選択されたか否かを判断する（ステップＳ１３）。
【００５１】
ステップＳ１３で、新たな視聴設定が選択されていないと判断すると（ステップＳ１３；Ｎｏ）、ＣＰＵ１９１は、ステップＳ１１以降の処理を繰り返して行う。
【００５２】
一方、ステップＳ１３で、新たな視聴設定が選択されたと判断すると（ステップＳ１３；Ｙｅｓ）、ＣＰＵ１９１は、計時部１７に指示を出して、ステップＳ１６（後述）又はステップＳ３５（後述）で開始させた計時を停止させ（ステップＳ１４）、映像処理部１４及び／又は音声処理部１５に指示を出して、ステップＳ１３で選択された新たな視聴設定に基づいて番組情報を調整させる（ステップＳ１５）。
【００５３】
次いで、ＣＰＵ１９１は、計時部１７に指示を出して、計時を開始させる（ステップＳ１６）。
【００５４】
また、ステップＳ１２で、計時時間が一定時間を超えたと判断すると（ステップＳ１２；Ｙｅｓ）、ＣＰＵ１９１は、計時部１７に指示を出して、ステップＳ１６又はステップＳ３５（後述）で開始させた計時を停止させ（ステップＳ１７）、判別プログラム１９３１を実行して、出力部２０に出力される番組情報から、当該番組のジャンルを判別する（ステップＳ１８）。
【００５５】
次いで、ＣＰＵ１９１は、ステップＳ１８で判別したジャンルに対応付けて、ポイントデータファイル１８１に現在の視聴設定に対するポイントを記憶させ（ステップＳ１９）、ステップＳ１６の処理に移行する。
【００５６】
また、ステップＳ１１で、ユーザ所望の放送番組のチャンネルが選局されたと判断すると（ステップＳ１１；Ｙｅｓ）、すなわち、ユーザによるリモコン１６１の操作などによって第１の番組情報以外の番組情報が選択されたとすると、ＣＰＵ１９１は、計時部１７に指示を出して、ステップＳ１６又はステップＳ３５（後述）で開始させた計時を停止させ（ステップＳ２０）、チューナ１０に指示を出して、当該選局されたチャンネルに対応する番組情報を受信させる。これにより、当該選局されたチャンネルに対応する番組情報が、出力制御プログラム１９３４を実行したＣＰＵ１９１により出力部２０に出力されることとなる（ステップＳ２１）。
【００５７】
次いで、ＣＰＵ１９１は、判別プログラム１９３１を実行して、出力部２０に出力される番組情報から、当該番組のジャンルを判別する（ステップＳ２２）。
具体的には、例えば、ＣＰＵ１９１が、ジャンルを「野球」と判別したとする。
【００５８】
次いで、ＣＰＵ１９１は、ポイントデータファイル１８１に、ステップＳ２２で判別したジャンルに対応するポイントが記憶されているか否かを判断する（ステップＳ２３）。
具体的には、例えば、図２のポイントデータファイル１８１においては、ジャンル「野球」に対応するポイントが記憶されている。
【００５９】
ステップＳ２３で、ポイントデータファイル１８１に、ステップＳ２２で判別したジャンルに対応するポイントが記憶されていないと判断すると（ステップＳ２３；Ｎｏ）、ＣＰＵ１９１は、ステップＳ３５の処理（図４）に移行する。
【００６０】
一方、ステップＳ２３で、ポイントデータファイル１８１に、ステップＳ２２で判別したジャンルに対応するポイントが記憶されていると判断すると（ステップＳ２３；Ｙｅｓ）、ＣＰＵ１９１は、抽出プログラム１９３２を実行して、ステップＳ２２で判別したジャンルに対応する視聴設定の中から、ポイントデータファイル１８１に記憶されるポイント数が最も多い視聴設定を抽出する（ステップＳ２４）。
具体的には、例えば、ＣＰＵ１９１は、図２のポイントデータファイル１８１のジャンル「野球」に対応する視聴設定の中から、ポイント数が最も多い視聴設定「ＯＦＦ」（その設定項目は「字幕」）を抽出する。
【００６１】
次いで、ＣＰＵ１９１は、判断プログラム１９３３を実行して、ステップＳ２４で抽出したポイント数が最も多い視聴設定のポイントデータファイル１８１に記憶されるポイント数が、所定の閾値（例えば、「３ポイント」）を超えるか否かを判断する（ステップＳ２５）。
具体的には、例えば、図２のポイントデータファイル１８１においては、ステップＳ２４で抽出された視聴設定「ＯＦＦ」のポイント数は「５ポイント」であるため、所定の閾値（「３ポイント」）を超える。
【００６２】
ステップＳ２５で、ステップＳ２４で抽出したポイント数が最も多い視聴設定のポイント数が、所定の閾値を超えないと判断すると（ステップＳ２５；Ｎｏ）、ＣＰＵ１９１は、ステップＳ３５の処理に移行する。
【００６３】
一方、ステップＳ２５で、ステップＳ２４で抽出したポイント数が最も多い視聴設定のポイント数が、所定の閾値を超えると判断すると（ステップＳ２５；Ｙｅｓ）、ＣＰＵ１９１は、抽出プログラム１９３２を実行して、ステップＳ２２で判別したジャンルに対応する視聴設定の中から、ポイントデータファイル１８１に記憶されるポイント数が二番目に多い視聴設定を抽出する（ステップＳ２６）。
具体的には、例えば、ＣＰＵ１９１は、図２のポイントデータファイル１８１のジャンル「野球」に対応する視聴設定の中から、ポイント数が二番目に多い視聴設定「第１言語」（その設定項目は「字幕」）を抽出する。
【００６４】
次いで、ＣＰＵ１９１は、判断プログラム１９３３を実行して、ステップＳ２４で抽出したポイント数が最も多い視聴設定のポイント数から、ステップＳ２６で抽出したポイント数が二番目に多い視聴設定のポイント数を引いた差を算出して、当該算出した差が所定ポイント数（例えば、「２ポイント」）以上であるか否かを判断する（ステップＳ２７）。
具体的には、例えば、図２のポイントデータファイル１８１においては、ステップＳ２４で抽出された視聴設定「ＯＦＦ」のポイント数は「５ポイント」であり、ステップＳ２６で抽出された視聴設定「第１言語」のポイント数は「３ポイント」であるため、その差は「２ポイント」となり、所定ポイント数（「２ポイント」）以上である。
【００６５】
ステップＳ２７で、ステップＳ２４で抽出したポイント数が最も多い視聴設定のポイント数から、ステップＳ２６で抽出したポイント数が二番目に多い視聴設定のポイント数を引いた差が、所定ポイント数以上でないと判断すると（ステップＳ２７；Ｎｏ）、ＣＰＵ１９１は、例えば、映像表示部２０１の表示画面の片隅に、ステップＳ２４で抽出したポイント数が最も多い視聴設定及びステップＳ２６で抽出したポイント数が二番目に多い視聴設定の中から一つの視聴設定を選択するよう促す第１の視聴設定選択画面を表示させる（ステップＳ２８）。
【００６６】
次いで、ステップＳ２８で表示させた第１の視聴設定選択画面に従って、ユーザによるリモコン１６１の操作などにより一つの視聴設定が選択されると、ＣＰＵ１９１は、映像処理部１４及び／又は音声処理部１５に指示を出して、当該選択された視聴設定に基づいて番組情報を調整させ（ステップＳ２９）、ステップＳ３５の処理に移行する。
【００６７】
一方、ステップＳ２７で、ステップＳ２４で抽出したポイント数が最も多い視聴設定のポイント数から、ステップＳ２６で抽出したポイント数が二番目に多い視聴設定のポイント数を引いた差が、所定ポイント数以上であると判断すると（ステップＳ２７；Ｙｅｓ）、ＣＰＵ１９１は、ステップＳ２４で抽出したポイント数が最も多い視聴設定は一つであるか否かを判断する（ステップＳ３０）。
具体的には、例えば、ステップＳ２４で抽出された視聴設定は「ＯＦＦ」（その設定項目は「字幕」）の一つである。
【００６８】
ステップＳ３０で、ステップＳ２４で抽出したポイント数が最も多い視聴設定は一つでないと判断すると（ステップＳ３０；Ｎｏ）、ＣＰＵ１９１は、例えば、映像表示部２０１の表示画面の片隅に、複数の、ステップＳ２４で抽出したポイント数が最も多い視聴設定の中から一つの視聴設定を選択するよう促す第２の視聴設定選択画面を表示させる（ステップＳ３１）。
【００６９】
次いで、ステップＳ３１で表示させた第２の視聴設定選択画面に従って、ユーザによるリモコン１６１の操作などにより一つの視聴設定が選択されると、ＣＰＵ１９１は、映像処理部１４及び／又は音声処理部１５に指示を出して、当該選択された視聴設定に基づいて番組情報を調整させ（ステップＳ３２）、ステップＳ３５の処理に移行する。
【００７０】
一方、ステップＳ３０で、ステップＳ２４で抽出したポイント数が最も多い視聴設定は一つであると判断すると（ステップＳ３０；Ｙｅｓ）、ＣＰＵ１９１は、報知プログラム１９３５を実行して、当該視聴設定に基づいて出力部２０に出力される番組情報の自動調整を行う旨を、例えば、映像表示部２０１の表示画面の片隅に表示することによって、報知する（ステップＳ３３）。
【００７１】
次いで、ＣＰＵ１９１は、映像処理部１４及び／又は音声処理部１５に指示を出して、ステップＳ２４で抽出したポイント数が最も多い視聴設定に基づいて番組情報を調整させる（ステップＳ３４）。
具体的には、例えば、ＣＰＵ１９１は、映像処理部１４に指示を出して、「字幕」を「ＯＦＦ」するよう番組情報を調整させる。
【００７２】
次いで、ＣＰＵ１９１は、計時部１７に指示を出して、計時を開始させ（ステップＳ３５）、ステップＳ１１以降の処理（図３）を繰り返して行う。
【００７３】
以上説明した本発明のテレビジョン放送受信機１によれば、アンテナ１０１及びチューナ１０によって、順次供給されるテレビジョン放送波から番組情報を受信することができ、出力制御プログラム１９３４を実行したＣＰＵ１９１によって、アンテナ１０１及びチューナ１０により受信された番組情報を出力部２０に出力させることができ、判別プログラム１９３１を実行したＣＰＵ１９１によって、出力制御プログラム１９３４を実行したＣＰＵ１９１により出力部２０に出力される番組情報から、当該番組のジャンルを判別することができ、ポイントデータファイル１８１によって、一定時間の間、所定の視聴設定に基づいて調整された番組情報が出力制御プログラム１９３４を実行したＣＰＵ１９１により出力部２０に出力された際、判別プログラム１９３１を実行したＣＰＵ１９１により当該番組情報から判別されたジャンルに対応付けて、当該視聴設定に対するポイントを記憶することができ、抽出プログラム１９３２を実行したＣＰＵ１９１によって、判別プログラム１９３１を実行したＣＰＵ１９１により判別されたジャンルに対応する視聴設定の中から、ポイントデータファイル１８１に記憶されるポイント数が最も多い視聴設定を抽出することができ、判断プログラム１９３３を実行したＣＰＵ１９１によって、抽出プログラム１９３２を実行したＣＰＵ１９１により抽出された視聴設定のポイントデータファイル１８１に記憶されるポイント数が、所定の閾値を超え、且つ、ポイントデータファイル１８１に記憶されるポイント数が二番目に多い視聴設定のポイント数よりも所定ポイント数以上多いという所定の第２の条件を満たすか否かを判断することができ、出力制御プログラム１９３４を実行したＣＰＵ１９１によって、判断プログラム１９３３を実行したＣＰＵ１９１により所定の第２の条件を満たすと判断された視聴設定が一つであった場合に、当該視聴設定に基づいて調整した番組情報を、出力部２０に出力することができる。
すなわち、視聴設定に対するポイントを累積することによって、ユーザが好む視聴設定を見出すことができ、そして、自動的に、番組情報を、当該見出したユーザが好む視聴設定に基づいて調整することができるため、従来のように所定の設定画面に従って視聴設定を行わなくても、自動的に、ユーザ所望の視聴設定に基づいて調整した番組情報を出力することができる。
さらに、ジャンル毎に視聴設定に対するポイントを累積することによって、ジャンル毎に、ユーザが好む視聴設定を見出すことができ、そして、自動的に、番組情報を、当該番組のジャンルに応じて、当該見出したユーザが好む視聴設定に基づいて調整することができるため、ジャンル毎に視聴設定を切り替えたいユーザにとっては、好都合である。
また、最もユーザに好まれている視聴設定が、ユーザが好んでいると判断してよいほどのポイント数を累積した視聴設定であり、且つ、圧倒的にユーザに好まれている視聴設定である場合に、当該視聴設定に基づいて自動的に番組情報を調整するため、より好適にユーザ好みの視聴設定に自動的に設定できる。
【００７４】
また、報知プログラム１９３５を実行したＣＰＵ１９１によって、判断プログラム１９３３を実行したＣＰＵ１９１により第２の条件を満たすと判断された視聴設定が一つであり、出力制御プログラム１９３４を実行したＣＰＵ１９１により当該第２の条件を満たすと判断された視聴設定に基づいて調整した番組情報が出力部２０に出力される際に、当該番組情報の自動調整を行う旨を、例えば、出力部２０の映像表示部２０１を介して、報知することができるため、ユーザは、番組情報の自動調整が行われる旨を知ることができることとなって、使い勝手がよい。
【００７５】
なお、本発明は、上記した実施の形態のものに限るものではなく、その要旨を逸脱しない範囲で適宜変更可能である。
例えば、図２のポイントデータファイル１８１では設定項目として「字幕」を挙げたが、設定項目はこの限りでなく、例えば、データ放送を表示するか否か、映像の表示サイズ、映像の明るさ、映像の画質、音声をモノラルにするかステレオにするか、言語、音質、音量など、ユーザにより設定可能な好適な項目であれば任意である。なお、一個のジャンルに対応する設定項目が複数個ある場合には、番組情報を自動調整する際、設定項目毎に視聴設定を絞り込む必要がある。
【００７６】
ＣＰＵ１９１は、ユーザによるリモコン１６１の操作などによって、番組情報を自動調整するか否かを指定することができるようにしておき、自動調整すると指定された場合にのみ、番組情報を自動調整するようにしてもよい。
また、ユーザによるリモコン１６１の操作などによって、全てのジャンルの中から、番組情報の自動調整を行うジャンルを選択することができるようにしてもよい。
【００７７】
所定の第１の条件は、ポイント数が最も多いという条件の限りでなく、また、所定の第２の条件は、ポイント数が最も多い視聴設定のポイント数が、所定の閾値を超え、且つ、ポイントデータファイル１８１に記憶されるポイント数が二番目に多い視聴設定のポイント数よりも所定ポイント数以上多いという条件の限りでなく、「ユーザがその視聴設定を好んでいる」と判断するための指標となる好適な条件であれば任意である。
【００７８】
図２に示すポイントデータファイル１８１においては記憶可能なポイントの上限を「１０」としたが、記憶可能なポイントの上限は、この限りでなく、不揮発性メモリ１８の記憶許容量の範囲内であり、且つ、「ユーザがその視聴設定を好んでいる」と判断することができる好適な上限であれば任意である。
【００７９】
本実施の形態のおいては、テレビジョン放送受信機１と出力部２０とを一体としたが、テレビジョン放送受信機１と出力部２０とは、別体であってもよい。
【００８０】
番組情報の自動調整を行う旨の報知は、映像表示部２０１を介して行う限りでなく、例えば、音声出力部２０２などを介して行うようにしてもよい。
また、番組情報の自動調整を行う旨の報知の際に、当該自動調整を行うべきか否かをユーザによるリモコン１６１の操作などにより選択できるようにしてもよい。
【図面の簡単な説明】
【００８１】
【図１】本発明にかかるテレビジョン放送受信機の機能的構成を示すブロック図である。
【図２】図１に示すポイントデータファイルのデータ構造を示す図である。
【図３】テレビジョン放送受信機における視聴設定に関する第１の処理を説明するためのフローチャートである。
【図４】テレビジョン放送受信機における視聴設定に関する第２の処理を説明するためのフローチャートである。
【符号の説明】
【００８２】
１  テレビジョン放送受信機
１０  チューナ（受信手段）
２０  出力部（出力手段）
１０１  アンテナ（受信手段）
１８１  ポイントデータファイル（記憶手段）
１９１  ＣＰＵ（判別手段、抽出手段、判断手段、出力制御手段、報知手段）
１９３１  判別プログラム（判別手段）
１９３２  抽出プログラム（抽出手段）
１９３３  判断プログラム（判断手段）
１９３４  出力制御プログラム（出力制御手段）
１９３５  報知プログラム（報知手段）
【図１】
2007116359.tif 000003
【図２】
2007116359.tif 000004
【図３】
2007116359.tif 000005
【図４】
2007116359.tif 000006